(57)【要約】【課題】エスカレータが設置される商業施設等において、人の関心を引くことを可能とするエスカレータを提供することである。【解決手段】エスカレータにおいて、一方の乗降口１２と他方の乗降口１４との間に架設され一対の側面部３１とその側面部３１を連結する底面部３３を含んで構成されるトラス３４であって、少なくとも側面部３１の一部が透明材質で構成される透明部３２を有するトラス３４と、トラス３４の側面部３１の近傍に設けられ、トラス３４の透明部３２に向けて光を発する光源装置とを備え、透明部３２に表示物を付することにより広告機能を発揮させる。【選択図】図１
2009203039.tif 000002
【特許請求の範囲】
【請求項１】
一方の乗降口と他方の乗降口との間に架設され一対の側面部とその側面部を連結する底面部を含んで構成されるトラスであって、少なくとも側面部の一部が透明材質で構成される透明部を有するトラスと、
トラスの側面部の近傍に設けられ、トラスの透明部に向けて光を発する光源装置と、
を備えることを特徴とするエスカレータ。
【請求項２】
請求項１に記載のエスカレータにおいて、
透明部に表示物を付することにより広告機能を発揮させることを特徴とするエスカレータ。
【請求項３】
請求項１または請求項２に記載のエスカレータにおいて、
光源装置が発する光は、トラス内を移動するステップを構成する部材によって周期的に遮られることを特徴とするエスカレータ。
【請求項４】
請求項１から請求項３のいずれか１に記載のエスカレータにおいて、
光源装置が発する光は、トラス内を移動するステップに取り付けられるローラによって周期的に遮られることを特徴とするエスカレータ。
【請求項５】
請求項３に記載のエスカレータにおいて、
光源装置は、
ステップの長手方向の両側に設けられる一対の部材のうち、透明部に近い側の部材によって透明部への光が周期的に遮られる位置に設けられることを特徴とするエスカレータ。
【請求項６】
請求項４に記載のエスカレータにおいて、
光源装置は、
ステップの長手方向の両側に設けられる一対のローラのうち、透明部に近い側のローラによって透明部への光が周期的に遮られる位置に設けられることを特徴とするエスカレータ。
【発明の詳細な説明】
【技術分野】
【０００１】
本発明は、エスカレータに係り、特に、広告表示機能を備えたエスカレータに関する。
【背景技術】
【０００２】
現在、駅構内やデパートといった商業施設等のさまざまな場所でエスカレータが設けられており、多くの人がエスカレータを利用している。そのため、エスカレータに広告等を設けると利用者の注意を引いて関心を持つ可能性が高く、広告による宣伝効果が大きいと考えられる。
【０００３】
例えば、特許文献１には、踏板および／またはステップの蹴上げ部分であるライザに、文字、図形または記号、あるいはこれらの組合せにより成る広告等表示を印刷したシールを貼着して貼着表示体とした広告等の表示体を備えたものが開示されている。
【０００４】
【特許文献１】特開２００６−５６６６７号公報
【発明の開示】
【発明が解決しようとする課題】
【０００５】
上記特許文献１の構成を用いることで、エスカレータに広告等を設けることができるため、利用者の注意を引き関心を持たせることが可能となる。しかし、特許文献１の構成では、踏板および／またはライザに広告等を設けているため、エスカレータに実際に乗っている利用者のみしか見ることができないという問題がある。
【０００６】
本発明の目的は、エスカレータが設置される商業施設等において、人の関心を引くことを可能とするエスカレータを提供することである。
【課題を解決するための手段】
【０００７】
本発明に係るエスカレータは、一方の乗降口と他方の乗降口との間に架設され一対の側面部とその側面部を連結する底面部を含んで構成されるトラスであって、少なくとも側面部の一部が透明材質で構成される透明部を有するトラスと、トラスの側面部の近傍に設けられ、トラスの透明部に向けて光を発する光源装置と、を備えることを特徴とする。
【０００８】
また、本発明に係るエスカレータにおいて、透明部に表示物を付することにより広告機能を発揮させることが好ましい。
【０００９】
また、本発明に係るエスカレータにおいて、光源装置が発する光は、トラス内を移動するステップを構成する部材によって周期的に遮られることが好ましい。
【００１０】
また、本発明に係るエスカレータにおいて、光源装置が発する光は、トラス内を移動するステップに取り付けられるローラによって周期的に遮られることが好ましい。
【００１１】
また、本発明に係るエスカレータにおいて、光源装置は、ステップの長手方向の両側に設けられる一対の部材のうち、透明部に近い側の部材によって透明部への光が周期的に遮られる位置に設けられることが好ましい。
【００１２】
また、本発明に係るエスカレータにおいて、光源装置は、ステップの長手方向の両側に設けられる一対のローラのうち、透明部に近い側のローラによって透明部への光が周期的に遮られる位置に設けられることが好ましい。
【発明の効果】
【００１３】
上記構成のエスカレータによれば、光源装置の発光によってトラスに設けられた透明部が点灯されるため、意匠的美観が向上する。
【００１４】
また、透明部に広告等を設ければ、エスカレータが設置された商業施設等に居る人に関心を持たせることができる。
【００１５】
また、上記構成のエスカレータによれば、光源装置から発せられる光がステップを構成する部材等によって周期的に遮られ、透明部が点滅することで注意をより引き易くなる。したがって、エスカレータが設置された商業施設等に居る人に関心をより持たせることができる。
【発明を実施するための最良の形態】
【００１６】
以下に、本発明に係る実施の形態について添付図面を参照しながら詳細に説明する。なお、以下では、エスカレータの透明部は、トラスの側面部に設けられた円形の形状のものであるとして説明するが、矩形や三角形等の形状であってもよく、またトラス全体が透明であってもよい。また、この説明において、具体的な形状、材料、数値、方向等は、本発明の理解を容易にするための例示であって、用途、目的、仕様等にあわせて適宜変更することができる。
【００１７】
図１は、本発明の第１実施形態であるエスカレータ１０を側面方向から示した図である。図２は、エスカレータ１０において、トラス３４が取り外された様子を示す図である。エスカレータ１０は、高低差のある乗降口１２と乗降口１４との間で乗客４を移動させる装置である。エスカレータ１０は、乗客４が乗る踏板４９とライザ４８とを含んで構成されるステップ部４０と、それぞれのステップ部４０が連結されるステップチェーン１６と、ステップチェーン１６を駆動する主駆動装置１８と、移動手摺２２と、欄干部２４と、トラス３４と、透明部３２と、光源装置５０と含んで構成される。
【００１８】
踏板４９は、乗客４が一人または二人乗れる程度の大きさを有する。エスカレータ１０が斜面を運行する際に、複数の踏板４９は、地面に対して水平な状態を保ちつつ移動する。また、踏板４９にはスリップ防止等のための溝が複数設けられている。
【００１９】
ステップチェーン１６は、図示されていない適当な軸部材を介して、それぞれのステップ部４０を連結し、主駆動装置１８の駆動力をそれぞれのステップ部４０に伝達するものである。また、ステップチェーン１６は、エスカレータ１０のステップ部４０の左右両側に１本ずつ配置されている。
【００２０】
主駆動装置１８は、エスカレータ１０を駆動する駆動力を出力する装置で、例えば、電動機と減速歯車等から構成される。主駆動装置１８により出力された駆動力は、図示されていない駆動伝達手段を介してステップチェーン１６及び図示されていない移動手摺チェーンに伝達される。
【００２１】
移動手摺２２は、乗客４が手を添え、または掴むことができるものであり、欄干部２４は、踏板４９が移動する際に、乗客４の体がエスカレータ１０外に出ることを防止する役割を果たす。
【００２２】
トラス３４は、エスカレータ１０の自重および積載荷重をささえる構造部分である一対の側面部３１とその側面部３１を連結する底面部３３とを含んで構成される。トラス３４の内部には、主駆動装置１８の他、図示しない制御盤や移動手すり駆動装置等が組み込まれている。トラス３４の側面部３１と底面部３３は、ステンレス等の適当な強度を有する材料で構成されている。
【００２３】
透明部３２は、透明アクリル板等の透明な材質で構成された円形形状の部材であり、図１に示されるように、トラス３４の側面部３１において、適当な間隔で対応する円形形状をくり抜いて、透明部３２がその孔に嵌め込まれて設けられる。また、透明部３２は、トラス３４の一方側の側面部３１において、例えば、６個設けられており、文字や商品等が表示されたシール等を透明部３２に貼り付けることで広告等として機能させることができる。
【００２４】
光源装置５０は、トラス３４の内部の他方側の側面部３１の近傍に設けられる発光装置であって、トラス３４に設けられる透明部３２に向けて光を発するように配置される。光源装置５０としては、例えば蛍光灯や白熱灯を用いた照明器具を用いることができ、トラス３４の一方側の側面部３１に設けられる複数の透明部３２にそれぞれ対応して設けられる。
【００２５】
続いて、上記構成からなるエスカレータ１０の動作について図１等を参照して説明する。エスカレータ１０は、図１において、６個の透明部３２に、例えば、それぞれ「ク」「リ」「ア」「ラ」「ン」「ス」といった文字を表示するシールを貼り付け、デパート等に設置されたエスカレータ１０のトラス３４の側面部３１に全体として「クリアランス」と表示することで、現在、そのデパートがクリアランスセール中であることを広告することができる。また、光源装置５０によって透明部３２が点灯されているため、デパート内に居るお客様の注意を引いて、その広告内容に関心も持たせることが可能となる。
【００２６】
なお、上記のように透明部３２は、透明材質の円形部材に広告用のシールを貼り付けており、このシールを貼りかえることで、季節等に応じて広告内容を容易に変更することが可能である。また、上記の例では、６個の透明部３２を用い、全体として一つの広告内容を表現しているものとして説明したが、それぞれの透明部３２で独立した広告を表示してもよく、例えば、デパートで販売する靴や鞄また口紅等の商品を表示するシールをそれぞれの透明部３２に貼り付けてもよい。また、透明部３２は、透明材質の円形部材を用いるものとして説明したが、広告内容に変更がない場合には、透明部３２自体の形状を例えば上記のような「ク」「リ」「ア」「ラ」「ン」「ス」といった文字の形状とし、シールを用いることなく広告することもできる。
【００２７】
次に、図３と図４を参照して本発明の第２実施形態であるエスカレータ１１について説明する。ここで、エスカレータ１１は、上記第１実施形態のエスカレータ１０とほぼ同様の構成を有するため、同一構成要素には同一符号を付して重複することとなる説明を援用によって省略し、異なる構成およびその作用について説明する。エスカレータ１１は、光源装置５０が設けられる位置がエスカレータ１０と相違するため、以下では、特に、光源装置５０とステップ部４０との配置関係を説明する必要があり、その内容について詳細な説明を行う。
【００２８】
図３は、エスカレータ１１を上方から見た様子を示す図である。ここでは、トラス３４内部における光の様子を分かりやすくするためにステップ部４０を一部取り外し、また光源装置５０と透明部３２の位置について確認しやすくするために側面部３１は上方から視認できるものとして描いている。
【００２９】
透明部３２は、上記で説明したようにトラス３４の側面部３１において、所定の間隔で設けられている。光源装置５０は、トラス３４を構成する一対の側面部３１のうち、透明部３２が設けられる一方側の側面部３１とは異なる他方側の側面部３１において、透明部３２と対向して配置され、それぞれ対となる透明部３２に向けて発光する。また、ステップ部４０は、その構成部材によって、光源装置５０から透明部３２へ向けて発せられる光を周期的に遮りながら移動する。
【００３０】
図４は、エスカレータ１１の図１に相当する図から帰還側のステップ部４０の一つを取り出して拡大した様子を示す側面図である。ステップ部４０は、踏板４９と、ライザ４８と、第１支持棒４４と、第２支持棒４５と、第３支持棒４６とを含んで構成される。また、駆動ローラ４１と追従ローラ４２は、ステップ部４０に取り付けられるローラである。
【００３１】
踏板４９は、上記のように、乗客４が一人または二人乗れる程度の大きさを有し、ライザ４８は、ステップ部４０の蹴上げの部分である。駆動ローラ４１は、ステップチェーン１６の左右両側に対となるように取り付けられており、ステップ部４０を牽引するためのローラである。追従ローラ４２は、ステップ部４０の左右両側に対となるように取り付けられており、踏板４９を水平に保つためのローラである。ここで、第１支持棒４４と、第２支持棒４５と、第３支持棒４６によって規定された略三角形状の空間を三角空間部４７とする。ここで、光源装置５０とステップ部４０の移動の関係について説明すると、光源装置５０から透明部３２へ向けられた光が、三角空間部４７等によって通過され、第２支持棒４５あるいは第３支持棒４６あるいは踏板４９によって遮られる位置に光源装置５０が配置されている。
【００３２】
続いて、上記構成からなるエスカレータ１１の動作について図４を参照して説明する。光源装置５０の光は、ステップ部４０が矢印方向に移動するため、ステップ部４０を構成する部材によって周期的に遮られる。具体的には、光源装置５０の光は、三角空間部４７等の光を通す部分においてそのまま通過して透明部３２を点灯し、一方、第２支持棒４５あるいは第３支持棒４６あるいは踏板４９といったステップ部４０の構成部材において遮られるため透明部３２を消灯する。したがって、デパートに居るお客様からは、その透明部３２が一定の周期で点滅しているように見える。これにより、エスカレータ１１のステップ部４０の移動により透明部３２が点滅することとなるため、デパート内にいるお客様の注意を引いて、その広告内容に関心を持たせることが可能となる。
【００３３】
次に、図５を参照して本発明の第３実施形態であるエスカレータ１３について説明する。図５は、図３と同様に、エスカレータ１３を上方から見た様子を示す図である。ここで、エスカレータ１３は、上記第１実施形態のエスカレータ１０及び上記第２実施形態のエスカレータ１１とほぼ同様の構成を有するため、同一構成要素には同一符号を付して重複することとなる説明を援用によって省略し、異なる構成およびその作用について説明する。エスカレータ１３は、光源装置５０が設けられる位置においてエスカレータ１０，１１と相違する。なお、光源装置５０を可能な限り透明部３２に近づけて配置するために、図５に示されるようにステップ部４０の進行方向に沿って装置取付部材６０を設ける。
【００３４】
続いて、上記構成からなるエスカレータ１３の動作について、図５等を参照して説明する。光源装置５０から透明部３２に向けられた光は、ステップ部４０が矢印方向に移動するため、ステップ部４０を構成する部材によって周期的に遮られる。具体的には、光源装置５０の光は、三角空間部４７等の光を通す部分においてそのまま通過して透明部３２を点灯し、一方、第２支持棒４５あるいは第３支持棒４６あるいは踏板４９といったステップ部４０の構成部材において遮られるため透明部３２を消灯する。したがって、エスカレータ１１のステップ部４０の移動により透明部３２が点滅することとなるため、デパート内にいるお客様の注意を引いて、その広告内容に関心を持たせることが可能となる。
【００３５】
図６は、透明部３２に近い位置に設けられた光源装置１５１と、透明部３２に遠い位置に設けられた光源装置１５２からトラス３４の側面部３１が照らされる光の範囲を示す図である。光源装置１５１と光源装置１５２とが同じ機能を有する装置である場合に、光源装置１５１が発した光により透明部３２が設けられることとなるトラス３４の側面部３１はｄ１の範囲で照らされる。一方、光源装置１５２が発した光によりトラス３４の側面部３１はｄ２の範囲で照らされる。ここで、図６に示されるように、それぞれの光源装置１５１，１５２によって照らされる光の範囲の大きさを比較するとｄ１＜ｄ２の関係となる。したがって、同じ光源装置を用いる場合には、透明部３２に近い側に光源装置を設けた方がより細かい間隔で側面部３１に透明部３２を設けることができる。したがって、本発明の第３実施形態であるエスカレータ１３は、より細かい間隔でトラス３４の側面部３１に透明部３２を設けることができる。
【００３６】
上記第２実施形態のエスカレータ１１及び上記第３実施形態のエスカレータ１３では、光源装置５０から透明部３２へ発せられた光は、第２支持棒４５あるいは第３支持棒４６あるいは踏板４９によって周期的に遮られるものとして説明したが、光源装置５０から透明部３２へ向けられた光が駆動ローラ４１と追従ローラ４２によって遮られる位置に光源装置５０が配置されてもよい。このとき、光源装置５０の光は、ステップ部４０が矢印方向に移動するため駆動ローラ４１あるいは追従ローラ４２によって周期的に遮られる。具体的には、光源装置５０の光は、第１支持棒４４の外側に位置する外側空間部５１（図４参照）等の光を通す部分においてそのまま通過して透明部３２を点灯し、一方、駆動ローラ４１あるいは追従ローラ４２によって遮られるため透明部３２を消灯する。したがって、エスカレータ１１，１３のステップ部４０の移動により透明部３２が点滅することとなるため、デパート内にいるお客様の注意を引いて、その広告内容に関心を持たせることが可能となる。
【図面の簡単な説明】
【００３７】
【図１】本発明の第１実施形態であるエスカレータを側面方向から示した図である。
【図２】本発明の第１実施形態であるエスカレータにおいて、トラスが取り外された様子を示す図である。
【図３】本発明の第２実施形態であるエスカレータを上方から見た様子を示す図である。
【図４】本発明の第２実施形態であるエスカレータの図１に相当する図から帰還側のステップ部の一つを取り出して拡大した様子を示す側面図である。
【図５】本発明の第３実施形態であるエスカレータを上方から見た様子を示す図である。
【図６】２つの光源装置からトラスの側面部が照らされる光の範囲を示す図である。
【符号の説明】
【００３８】
４  乗客、１０，１１，１３  エスカレータ、１２，１４  乗降口、１６  ステップチェーン、１８  主駆動装置、２２  移動手摺、２４  欄干部、３１  側面部、３２  透明部、３３  底面部、３４  トラス、４０  ステップ部、４１  駆動ローラ、４２  追従ローラ、４４  第１支持棒、４５  第２支持棒、４６  第３支持棒、４７  三角空間部、４８  ライザ、４９  踏板、５０  光源装置、５１  外側空間部、６０  装置取付部材、１５１，１５２  光源装置。
【図１】
2009203039.tif 000003
【図２】
2009203039.tif 000004
【図３】
2009203039.tif 000005
【図４】
2009203039.tif 000006
【図５】
2009203039.tif 000007
【図６】
2009203039.tif 000008